(57)【特許請求の範囲】
【請求項１】
金属板に機械加工が施されて形成され且つ被係合部を備えて被固定部に固定手段を用いて固定される第１の取付具と、
前記第１の取付具の前記被係合部に係合される係合部を備えて物品が固定される第２の取付具とからなり、
前記第１の取付具が、前記被固定部の表面に沿って延びる接触部と、前記接触部の一端と連続し前記表面から離れる方向に延びる立ち上がり部と、前記立ち上がり部と連続し前記接触部が位置する側とは反対側に延びて前記被係合部が形成される取付部とを備えている物品の取付構造であって、
前記被係合部と前記係合部とは、前記係合部を前記被係合部に向かって押し付けることにより係合状態が形成される構造を有しており、
前記第１の取付具には、前記取付部と連続して設けられ、前記表面に向かって延びて前記表面と当接する立ち下がり部が設けられており、
前記立ち下がり部が、前記係合部と前記被係合部とを近付けて前記係合部と前記被係合部とを係合させるときに前記取付部が変形することを阻止する補助支持部として機能するように構成されていることを特徴とする物品の取付構造。
【請求項２】
金属板に機械加工が施されて形成され且つ被係合部を備えて物品に固定される第１の取付具と、
前記第１の取付具の前記被係合部に係合される係合部を備えて被固定部に固定手段を用いて固定される第２の取付具とからなり、
前記第１の取付具が、前記物品の表面に沿って延びて前記物品が固定される固定部と、前記固定部の一端と連続し前記物品から離れる方向に延びる立ち上がり部と、前記立ち上がり部と連続し前記固定部が位置する側とは反対側に延びて前記被係合部が形成される取付部とを備えている物品の取付構造であって、
前記被係合部と前記係合部とは、前記被係合部を前記係合部に向かって押し付けることにより係合状態が形成される構造を有しており、
前記第１の取付具には、前記取付部と連続して設けられ、前記表面に向かって延びて前記表面と当接する立ち下がり部が設けられており、
前記立ち下がり部が、前記係合部と前記被係合部とを近付けて前記係合部と前記被係合部とを係合させるときに前記取付部が変形することを阻止する補助支持部として機能するように構成されていることを特徴とする物品の取付構造。
【請求項３】
前記被係合部は、前記取付部の板面と直交する仮想線を中心として、周方向に所定の角度間隔を開けて放射状に形成された３本以上のスリットの隣り合う２本のスリット間に位置する３つ以上の部分を前記立ち上がり部及び立ち下がり部との間に形成される空間に向かって起こして形成された３つ以上の係合片から構成されており、
前記係合部は前記３つ以上の係合片の先端が外周部に食い込むロッドからなる請求項１または２に記載の物品の取付構造。
【請求項４】
前記金属板の厚み及び材質、前記ロッドの材質及び直径、並びに、前記係合片の数及び前記係合片の先端が形成する円形の直径は、前記被係合部に前記ロッドを挿入する際に要する力よりも、前記ロッドを前記被係合部から引き抜く際に要する力の方が大きくなるように定められていることを特徴とする請求項３に記載の物品の取付構造。
【請求項５】
前記引き抜く際に要する力が、５００Ｎ以上である請求項４に記載の物品の取付構造。
【請求項６】
前記金属板は、厚みが０．５±０．１ｍｍのばね用ステンレス鋼からなり、
前記ロッドは、直径が４．０ｍｍ以上６．０ｍｍ以下のステンレス鋼製円柱部材からなり、
前記３つ以上の係合片は、６つの前記係合片からなり、前記６つの係合片の先端が形成する円形の直径は、前記ロッドの直径よりも０．１±０．０５ｍｍ小さいことを特徴とする請求項４に記載の物品の取付構造。
【発明の詳細な説明】
【技術分野】
【０００１】
本発明は、壁等の被固定部に物品を取り付けるための取付構造に関するものである。
【背景技術】
【０００２】
表札等の物品を壁等の被固定部に取り付けるため、従来から、被係合部を備えて被固定部に固定手段を用いて固定される第１の取付具と、被係合部に係合される係合部を備えて物品が固定される第２の取付具とからなる物品の取付構造が提案されている。例えば、玄関や門柱に設置するタイプの表札の取付構造として、実用新案登録第３１５６３６７号公報（特許文献１）に示されたものがある。また、賃貸マンションやアパート等のように比較的短い期間で頻繁に交換が必要になる表札の取付構造として特開２００９−９０６３号公報（特許文献２）に示されたものがある。
【先行技術文献】
【特許文献】
【０００３】
【特許文献１】実用新案登録第３１５６３６７号公報
【特許文献２】特開２００９−９０６３号公報
【発明の概要】
【発明が解決しようとする課題】
【０００４】
先行技術文献に示されるような物品の取付構造は、施工業者が予め第１の取付具を被固定部に固定しておき、ユーザ（表札の場合は、施主等）が第２の取付具を第１の取付具に取り付けて、物品を取り付ける構造を有している。そのため、ユーザが第２の取付具を第１の取付具に取り付ける際には、工具を使わずに簡易な作業で取り付けができることが望まれている。しかしながら、特許文献１に示された取付構造の場合には、第２の取付具を取り付ける際に、ねじ留めをしなければならないという問題がある。
【０００５】
また、表札の取付構造のような屋外設置の物品の取付構造は、風雨にさらされることが多い。また、屋外に配置される表札等の物品の場合、容易に取り外しが可能であると、物品が盗難されるおそれもある。そのため、簡単に取り外しができないように、物品を強固に取り付けられることも望まれている。しかしながら、特許文献１及び特許文献２の取付構造は、取り外しが容易であるため、このような要求に応えることはできない。
【０００６】
本発明の目的は、工具を使わずに、簡易な作業で物品を取り付けることが可能な物品の取付構造を提供することにある。
【０００７】
本発明の他の目的は、簡易な作業で物品を取り付けることができるものの、容易に物品を取り外すことができない物品の取付構造を提供することにある。
【課題を解決するための手段】
【０００８】
本発明の物品の取付構造は、金属板に機械加工が施されて形成され且つ被係合部を備えて被固定部に固定手段を用いて固定される第１の取付具と、第１の取付具の被係合部に係合される係合部を備えて物品が固定される第２の取付具とを備えている。第１の取付具は、被固定部の表面に沿って延びる接触部と、接触部の一端と連続し表面から離れる方向に延びる立ち上がり部と、立ち上がり部と連続し接触部が位置する側とは反対側に延びて被係合部が形成される取付部とを備えている。
【０００９】
本発明の物品の取付構造における被係合部と係合部とは、係合部を被係合部に向かって押し付けることにより係合状態が形成される構造を有している。第１の取付具には、取付部と連続して設けられ、表面に向かって延びて表面と当接する立ち下がり部が設けられている。この立ち下がり部は、係合部と被係合部とを近付けて係合部と被係合部とを係合させるときに取付部が変形することを阻止する補助支持部として機能するように構成されている。このように第１の取付具が構成されているため、本発明の物品の取付構造は、第１の取付具の被係合部と、第２の取付具の係合部とを位置合わせした後、係合部を被係合部に近づけるという簡易な作業によって、工具を使用せずに被固定部に対して物品を取り付けることができる。特に、本発明では、第１の取付具の立ち上がり部及び立ち下り部がそれぞれ被固定部に対する支持部及び補助支持部として機能するため、第２の取付具を第１の取付具に近づける際に、力を加えても第１の取付具（特に取付部）が変形することがなく、作業がしやすいという利点がある。
【００１０】
上記第１の発明では、第１の取付具を被固定部に固定し、第２の取付具に物品を固定しているが、本願第２の発明では、逆に、第１の取付具に物品を固定し、第２の取付具を被固定部に固定する。この場合には、第１の取付具の被係合部を第２の取付具の係合部に向かって押し付けることにより係合状態を構成することになる。この場合でも、同様に、第１の取付具の被係合部と、第２の取付具の係合部とを位置合わせして、被係合部を係合部に近づけるという簡易な作業によって、工具を使用せずに被固定部に対して物品を取り付けることができる。
【００１１】
被係合部及び係合部の構成は任意である。例えば、被係合部は、取付部の板面と直交する仮想線を中心として、周方向に所定の角度間隔を開けて放射状に形成された３本以上のスリットの隣り合う２本のスリット間に位置する３つ以上の部分を立ち上がり部及び立ち下がり部との間に形成される空間に向かって起こして形成された３つ以上の係合片から構成された、いわゆる「プッシュナット」と類似の構造を有することができる。この場合、係合部は、３つ以上の係合片の先端が外周部に食い込むロッドから構成すればよい。このようにすれば、第１の取付具の被係合部を第２の取付具の係合部に向かって押し付ける、または、第２の取付具の係合部を第１の取付具の被係合部に向かって押し付けることにより、第２の取付具（または第１の取付具）に対して第１の取付具（第２の取付具）を強固に取り付けることができる。その結果、屋外に設置した物品が意に反して外れたりすることや、物品が盗難されることを防止することができる。
【００１２】
具体的な構造としては、金属板の厚み及び材質、ロッドの材質及び直径、並びに、係合片の数及び係合片の先端が形成する円形の直径は、被係合部にロッドを挿入する際に要する力よりも、前記ロッドを前記被係合部から引き抜く際に要する力の方が大きくなるように定められていることが好ましい。引き抜く際に要する力は、５００Ｎ（ニュートン）以上であることが好ましい。この数値を実現するため、さらに具体的には、金属板は、厚みが０．５±０．１ｍｍのばね用ステンレス鋼からなり、ロッドは、直径が４．０ｍｍ以上６．０ｍｍ以下のステンレス鋼製円柱部材からなり、３つ以上の係合片は、６つの係合片からなり、６つの係合片の先端が形成する円形の直径は、ロッドの直径よりも０．１±０．０５ｍｍ小さいように設計することが好ましい。このようにすれば、物品を取り付ける際の押し込み作業がしやすく、且つ、係合部と被係合部の係合構造に、抜け止めに必要な機械的強度を付与することができる。
【図面の簡単な説明】
【００１３】
【図１】本実施の形態の物品の取付構造を示す斜視図である。
【図２】（Ａ）は、本実施の形態の物品の取付構造の第１の取付具を示す正面図、（Ｂ）は、背面図、（Ｃ）は、平面図、（Ｄ）は、左側面図、（Ｅ）は、Ｅ部分拡大図、（Ｆ）は、Ｆ−Ｆ線断面図である。
【図３】（Ａ）は、本実施の形態の物品の取付構造の第２の取付具を示す正面図、（Ｂ）は、背面図、（Ｃ）は、平面図、（Ｄ）は、左側面図である。
【図４】本実施の形態の物品の取付構造を用いて、門柱に表札を取り付ける例を示す図である。
【図５】本実施の形態の物品の取付構造の第１の取付具に第２の取付具を押し込んで取り付けた状態を示す参考平面図である。
【発明を実施するための形態】
【００１４】
以下、図面を参照して、本発明の物品の取付構造の実施の形態を詳細に説明する。
【００１５】
図１は、本実施の形態の物品の取付構造（表札の取付構造）を示す斜視図である。本実施の形態は、被固定部である門柱に対して、物品である表札を取り付ける物品の取付構造１に本発明を適用した例である。本実施の形態の物品の取付構造１は、第１の取付具３と、第２の取付具５とから構成されており、第２の取付具５に、表札７が固定されている。
【００１６】
＜第１の取付具＞
図２（Ａ）は、本実施の形態の物品の取付構造で用いる第１の取付具３を示す正面図、図２（Ｂ）は、背面図、図２（Ｃ）は、平面図、図２（Ｄ）は、左側面図である。第１の取付具３の底面図は平面図と、右側面図は左側面図と、それぞれ同じに現れるため、図示を省略している。
【００１７】
第１の取付具３は、金属板に機械加工が施されて形成されており、接触部９と、立ち上がり部１１，１１´と、取付部１３，１３´と、立ち下がり部１５，１５´とを備えている。本実施の形態では、接触部９の長手方向の両端に、立ち上がり部、取付部及び立ち下がり部からなる取付構造部１６，１６´が設けられている。取付構造部１６，１６´は、それぞれ同じ構成をしているため、以下では、立ち上がり部１１、取付部１３及び立ち下がり部１５からなる取付構造部１６について説明し、立ち上がり部１１´、取付部１３´及び立ち下がり部１５´からなる取付構造部１６´については、説明を省略する。
【００１８】
接触部９は、被固定部の表面に沿って延びる部分であり、第１の取付具３を被固定部に固定するためのねじ（後述のねじ３０，３０´）が通る貫通孔からなるねじ孔１０Ａ，１０Ｂが形成されている。立ち上がり部１１は、接触部９の一端と連続し被固定部の表面から離れる方向に延びている。取付部１３は、立ち上がり部１１と連続し接触部９が位置する側とは反対側に延びて被係合部１７が形成されている。立ち下がり部１５は、取付部１３と連続して設けられ、被固定部の表面に向かって延びて被固定部の表面と当接する部分である。
【００１９】
図２（Ｅ）は、第１の取付具３に設けられた被係合部１７を示す、Ｅ部分の拡大図であり、図２（Ｆ）は、Ｆ−Ｆ線断面図である。図２（Ｅ）及び（Ｆ）に示すように、本実施の形態では、被係合部１７は、円形孔１９の縁に沿って位置している６つの係合片２１から構成されている。６つの係合片２１は、基部２３が円形孔１９の縁に沿っており、取付部１３の板面と直交する仮想線ＩＬを中心として、周方向に所定の角度間隔（本実施の形態では６０°）を開けて放射状に形成された６本のスリットの隣り合う２本のスリット間に位置する６つの部分を立ち上がり部１１及び立ち下がり部１５との間に形成される空間に向かって起こして形成され、いわゆる「プッシュナット」と類似の構造が形成されている。
【００２０】
＜第２の取付具＞
図３（Ａ）は、本実施の形態の物品の取付構造の第２の取付具５を示す正面図、図３（Ｂ）は、背面図、図３（Ｃ）は、平面図、図３（Ｄ）は、左側面図である。第２の取付具５の底面図は平面図と、右側面図は左側面図と、それぞれ同じに現れるため、図示を省略している。
【００２１】
第２の取付具５は、矩形状の金属板２７と、金属板２７に設けられた係合部である円柱状の２本のロッド２９，２９´とから構成されている。ロッド２９，２９´は、被係合部１７に押し込むと、６つの係合片２１の先端２５が外周部に食い込み、係合状態になるものである。本実施の形態では、金属板２７に貫通孔２８，２８´が形成されており、貫通孔２８，２８´にスタッドを通して固定して、ロッド２９，２９´を構成してある。
【００２２】
＜係合部（ロッド）及び被係合部の構成＞
被係合部１７，１７´と、係合部であるロッド２９，２９´は、所望する抜け止め強度や加工しやすさ等を考慮して決定してある。本実施の形態では、
・第１の取付具３を構成する金属板の材質及び厚み
・ロッド２９，２９´の材質及び直径
・被係合部１７，１７´を構成する係合片２１，２１´の数及び係合片２１，２１´の先端２５，２５´が形成する円形の直径
は、被係合部１７，１７´にロッド２９，２９´を挿入する際に要する力よりも、ロッド２９，２９´を被係合部１７，１７´から引き抜く際に要する力の方が大きく、５００Ｎ（ニュートン）以上の力（抜去力）を要するように設計してある。本実施の形態では、具体的には、以下の通りである。
【００２３】
(a)第１の取付具３を構成する金属板は、厚さ０．５ｍｍのＳＵＳ３０４−ＣＳＰ（調質の記号Ｈ）のばね用ステンレス鋼を使用している。ＳＵＳ３０４−ＣＳＰの詳細については、ＪＩＳ規格（ＪＩＳ  Ｇ  ４３１３：１９９６）に規定されているため、説明は省略する。厚さは、０．５±０．１ｍｍの範囲であることが好ましい。
【００２４】
(b)ロッド２９，２９´は、直径４．０ｍｍのステンレス鋼（ＳＵＳ）製であり、第１の取付具３を構成する金属板よりも硬度が高いものの方が好ましい。ロッド２９，２９´の直径は、４．０ｍｍ以上６．０ｍｍ以下の範囲であることが好ましい。
【００２５】
(c)被係合部１７，１７´を構成する係合片２１，２１´の数は、上記の通り６つである。円形孔１９，１９´は、直径が７ｍｍである。係合片２１，２１´の先端２５，２５´が形成する円形の直径は、ロッド２９，２９´の直径よりも０．１±０．０５ｍｍ小さいことが好ましいため、３．９ｍｍである。
【００２６】
＜取り付け作業＞
図４及び図５を用いて、物品である表札７を被固定部である門柱Ｇに対して取り付ける手順を説明する。
【００２７】
（１）施工業者の作業
(i)門柱Ｇに、接触部９のねじ孔１０Ａ，１０Ｂの位置に合わせて、有底のねじ孔３０，３０´を形成しておく；
(ii)接触部９を門柱Ｇの壁面に接触させた状態で、門柱Ｇに予め形成したねじ孔３０，３０´に第１の取付具３のねじ孔１０Ａ，１０Ｂを整合させ、ねじ３１，３１´によって第１の取付具３を門柱Ｇに固定する。
【００２８】
（２）施主等のユーザの作業
(i)第２の取付具５の表面２７Ａに接着剤等を用いて固定した状態の表札７を準備しておく；
(ii)門柱Ｇに固定されている第１の取付具３の被係合部１７とロッド２９を、及び、被係合部１７´とロッド２９´とを整合させた状態で、第２の取付具５の裏面２７Ｂが第１の取付具３の取付部１３，１３´と当接するまで、第２の取付具５を門柱Ｇの方向に近づける。第２の取付具５を門柱Ｇの方向に近づける際、第１の取付具３の立ち上がり部１１，１１´及び立ち下り部１５，１５´がそれぞれ被固定部に対する支持部及び補助支持部として機能し、取付部１３，１３´が変形することが阻止される。
【００２９】
以上の作業により、図５に示すように、ロッド２９，２９´に係合片２１，２１´が食い込み、第２の取付具３を引っ張っても容易には取り外すことのできない係合状態となる。
【００３０】
以上、本発明の実施の形態について具体的に説明したが、本発明はこれらの実施の形態に限定されるものではなく、本発明の技術的思想の範囲内で変更が可能であるのは勿論である。
【００３１】
例えば、本実施の形態では、第１の取付具を被固定部（門柱）に固定し、物品を第２の取付具に固定しているが、逆に、第１の取付具に物品を固定し、第２の取付具にねじ孔を設けておいて、被固定部に固定するようにしてもよい。この場合は、第１の取付具の被係合部と、第２の取付具の係合部とを位置合わせして、被係合部を係合部に近づけるという簡易な作業によって、工具を使用せずに被固定部に対して物品を取り付けることができる。
【００３２】
また、本実施の形態では、接触部に対して立ち上がり部、取付部及び立ち下がり部からなる取付構造部を２つ形成しているが、１つだけ形成していてもよく、また、さらに強固に固定するために、複数形成しておいてもよい。
【００３３】
さらに、本実施の形態では、例として表札を門柱に取り付ける場合を示しているが、本発明の物品の取付構造を利用して、例えば、塀に郵便受けや屋外灯を固定したり、屋内の壁に棚等の家具を固定してもよいことはもちろんである。
【産業上の利用可能性】
【００３４】
本発明によれば、工具を使わずに、簡易な作業で物品を取り付けることが可能な物品の取付構造を提供することができる。また、簡易な作業で物品を取り付けることができるものの、容易に物品を取り外すことができない物品の取付構造を提供することができる。
【符号の説明】
【００３５】
１  物品の取付構造
３  第１の取付具
５  第２の取付具
７  表札
９  接触部
１０Ａ，１０Ｂ  ねじ孔
１１，１１´  立ち上がり部
１３，１３´  取付部
１５，１５´  立ち下がり部
１７，１７´  被係合部
１９，１９´  円形孔
２１，２１´  係合片
２３，２３´  （係合片の）基部
２５，２５´  （係合片の）先端
２７  金属板
２９，２９´  ロッド
３０，３０´  ねじ孔
３１，３１´  ねじ
【図１】
0006567883.tif 000002
【図２】
0006567883.tif 000003
【図３】
0006567883.tif 000004
【図４】
0006567883.tif 000005
【図５】
0006567883.tif 000006